(57)【要約】    【課題】      メディアコンテンツの内容をコンテンツ内容記述により短時間で容易に把握できるようにすること。    【解決手段】  本発明は、メディアコンテンツを時刻情報により分割したセグメントに対して異なる複数の視点に基づく文脈内容記述を付与したコンテンツ内容記述データから視点、セグメントの時刻情報、およびセグメントの文脈内容記述を抽出し、視点および時刻情報をパラメータとした２次元平面を作成し、セグメントの文脈内容記述を２次元平面上のセグメントの時刻情報および文脈内容記述の基になった視点が交差する位置に配置し、表示するようにした。  【選択図】      図６
2005267113.tif 000002
【特許請求の範囲】
【請求項１】
サーバよりメディアコンテンツとメディアコンテンツ内容記述データを入力する入力部と、前記メディアコンテンツを時刻情報により分割したセグメントに対して異なる複数の視点に基づく文脈内容記述を付与したコンテンツ内容記述データから前記視点、前記時刻情報、および前記文脈内容記述を抽出する解析部と、前記視点および前記時刻情報をパラメータとした２次元平面を作成し、前記文脈内容記述を前記２次元平面上の前記文脈内容記述に対応する前記セグメントの前記時刻情報および前記文脈内容記述の基になった前記視点が交差する位置に配置する配置部と、前記文脈内容記述を配置した前記２次元平面表示する表示部と、を具備したことを特徴とするコンテンツ内容表示装置。
【請求項２】
前記２次元平面は、前記時刻情報および前記視点を軸とした矩形であることを特徴とする請求項１記載のコンテンツ内容表示装置。
【請求項３】
前記２次元平面が１画面に入るように前記時刻情報および前記視点の尺度を調整することを特徴とする請求項２記載のコンテンツ内容表示装置。
【請求項４】
前記２次元平面は、前記視点を半径方向、前記時刻情報を円周方向に配置した円であることを特徴とする請求項１記載のコンテンツ内容表示装置。
【請求項５】
前記視点には重要度が付与されていて、前記視点を前記重要度の高い順に並べることを特徴とする請求項１から請求項４のいずれかに記載のコンテンツ内容表示装置。
【請求項６】
前記視点をユーザ操作により並べることを特徴とする請求項１から請求項４のいずれかに記載のコンテンツ内容表示装置。
【請求項７】
前記２次元平面の一部が選択された場合に、前記一部に対応するメディアコンテンツを表示することを特徴とする請求項１から請求項６のいずれかに記載のコンテンツ内容表示装置。
【請求項８】
前記文脈内容記述を配置した前記２次元平面を前記２次元平面に対応するメディアコンテンツと共に表示することを特徴とする請求項１から請求項７のいずれかに記載のコンテンツ内容表示装置。
【請求項９】
前記文脈内容記述を配置した前記２次元平面を前記２次元平面に対応しないメディアコンテンツと共に表示することを特徴とする請求項１から請求項７のいずれかに記載のコンテンツ内容表示装置。
【請求項１０】
サーバよりメディアコンテンツとメディアコンテンツ内容記述データを入力するステップと、前記メディアコンテンツを時刻情報により分割したセグメントに対して異なる複数の視点に基づく文脈内容記述を付与したコンテンツ内容記述データから前記視点、前記時刻情報、および前記文脈内容記述を抽出するステップと、前記視点および前記時刻情報をパラメータとした２次元平面を作成するステップと、前記文脈内容記述を前記２次元平面上の前記文脈内容記述に対応する前記セグメントの前記時刻情報および前記文脈内容記述の基になった前記視点が交差する位置に配置するステップと、前記文脈内容記述を配置した前記２次元平面表示するステップと、を具備したことを特徴とするコンテンツ内容表示方法。
【請求項１１】
コンピュータに、サーバよりメディアコンテンツとメディアコンテンツ内容記述データを入力するステップと、前記メディアコンテンツを時刻情報により分割したセグメントに対して異なる複数の視点に基づく文脈内容記述を付与したコンテンツ内容記述データから前記視点、前記時刻情報、および前記文脈内容記述を抽出するステップと、前記視点および前記時刻情報をパラメータとした２次元平面を作成するステップと、前記文脈内容記述を前記２次元平面上の前記文脈内容記述に対応する前記セグメントの前記時刻情報および前記文脈内容記述の基になった前記視点が交差する位置に配置するステップと、前記文脈内容記述を配置した前記２次元平面表示するステップと、を行わせることを特徴としたプログラム。
【発明の詳細な説明】
【技術分野】
【０００１】
本発明は、メディアコンテンツの内容を表示するコンテンツ内容表示装置およびコンテンツ内容表示方法に関する。
【背景技術】
【０００２】
近年、メディアコンテンツの数の増大に伴い、ユーザは、膨大な数のメディアコンテンツから、好みに合ったものを選択するようになっている。現状では、ユーザは、数時間のメディアコンテンツを数分に要約したものを視聴することで、メディアコンテンツが自分の好みに合うものかどうかを判断するのが一般的である。
【０００３】
しかしながら、２０本のメディアコンテンツの中から１つを選ぶ際、これらのメディアコンテンツに対する要約が全て３分であるとすると、ユーザは全ての要約を視聴するのに６０分間という時間を必要とする。
【０００４】
そこで、従来より、メディアコンテンツの内容を詳細に示すコンテンツ内容記述を用いて、メディアコンテンツの内容を把握することが行われている（例えば、特許文献１）。
【０００５】
次に、コンテンツ内容記述について、図１６を用いて説明する。
【０００６】
図１６に示すようにコンテンツ内容記述１７００は、根がコンテンツ名１７０１、枝が視点（観点）１７０２、そして葉がセグメント１７０３とする木構造になっている。
【０００７】
視点１７０２は、メディアコンテンツをセグメント１７０３に区切るための視点である。図１６の例では、視点１７０２は、「シーン」と「内容」になっている。
【０００８】
セグメント１７０３は、メディアコンテンツを視点１７０２に基づいて区分けしたものである。また、セグメント１７０３は、メディアコンテンツの開始時刻と終了時刻を属性に持つことができる。また、セグメント１７０３には、内容１７０４が記述されている。
【０００９】
このように、コンテンツ内容記述１７００は、メディアコンテンツの内容を複数の視点１７０２および複数のセグメント１７０３により記述している。
【特許文献１】特開２００１−１６００６６号公報（第１１頁、図２）
【発明の開示】
【発明が解決しようとする課題】
【００１０】
しかしながら、コンテンツ内容記述１７００は、テキストからなる構造記述である。このため、ユーザが、コンテンツ内容記述１７００の内容を把握するには、構造記述を解析する必要がある。よって、メディアコンテンツに対して一般的な知識しか持たないユーザは、メディアコンテンツの内容を容易に把握できない。
【００１１】
特に、図１６に示すように、視点１７０２が複数ある場合には、それぞれの視点１７０２に対してセグメント１７０３がある。例えば、時間４６：００においては、「内容」という視点１７０２に対応するセグメント１７０３ａと、「シーン」という視点１７０２に対応するセグメント１７０３ｂがある。
【００１２】
このような場合に、ある時間においてメディアコンテンツの内容がどのようになっているのか判断しようとした場合、ある時間に対応するセグメント１７０３を全て抽出し、対応付けて内容判断する必要がある。一般的な知識のユーザには、ある時間に対応するセグメント１７０３を全て抽出することは容易ではないので、メディアコンテンツの内容を把握することが非常に困難となる。
【００１３】
このように、従来の方法では、ユーザが、メディアコンテンツの内容をコンテンツ内容記述から簡単に把握できず、メディアコンテンツの内容把握に時間を要するという課題がある。
【００１４】
本発明は、かかる点に鑑みて為されたものであり、メディアコンテンツの内容をコンテンツ内容記述により短時間で容易に把握できるようにすることを目的とする。
【課題を解決するための手段】
【００１５】
本発明は、メディアコンテンツを時刻情報により分割したセグメントに対して異なる複数の視点に基づく文脈内容記述を付与したコンテンツ内容記述データから視点、セグメントの時刻情報、およびセグメントの文脈内容記述を抽出し、視点および時刻情報をパラメータとした２次元平面を作成し、セグメントの文脈内容記述を２次元平面上のセグメントの時刻情報および文脈内容記述の基になった視点が交差する位置に配置し、表示するようにした。なお、文脈内容記述は、セグメントに対する視点に基づくキーワードまたは視点に基づく重要度（スコア）とキーワードの組であっても良い。
【発明の効果】
【００１６】
本発明によれば、２次元平面からコンテンツ内容記述の内容を視覚的に容易に把握できるので、メディアコンテンツの内容をコンテンツ内容記述により短時間で容易に把握できる。
【発明を実施するための最良の形態】
【００１７】
本発明の第１の態様にかかるコンテンツ内容表示装置は、サーバよりメディアコンテンツとメディアコンテンツ内容記述データを入力する入力部と、前記メディアコンテンツを時刻情報により分割したセグメントに対して異なる複数の視点に基づく文脈内容記述を付与したコンテンツ内容記述データから前記視点、前記時刻情報、および前記文脈内容記述を抽出する解析部と、前記視点および前記時刻情報をパラメータとした２次元平面を作成し、前記文脈内容記述を前記２次元平面上の前記文脈内容記述に対応する前記セグメントの前記時刻情報および前記文脈内容記述の基になった前記視点が交差する位置に配置する配置部と、前記文脈内容記述を配置した前記２次元平面表示する表示部と、を具備した構成を採る。
【００１８】
これにより、視点、時刻情報、および文脈内容記述の対応関係を視覚的に把握できる。この結果、コンテンツ内容記述を容易に把握できるので、コンテンツ内容記述を用いてメディアコンテンツの内容を短時間で容易に把握することができる。
【００１９】
また、メディアコンテンツのある時点において、複数の視点で記述された文脈内容記述を同時に把握することができる。これにより、複雑な構成のコンテンツ内容記述も容易に把握できる。
【００２０】
本発明の第２の態様は、第１の態様にかかるコンテンツ内容表示装置において、前記２次元平面は、前記時刻情報および前記視点を軸とした矩形である。
【００２１】
これにより、表を見るような感覚で、コンテンツ内容記述の内容を把握できる。また、矩形にすることにより、モニターなどの矩形の画面に大きく表示することができる。
【００２２】
本発明の第３の態様は、第２の態様にかかるコンテンツ内容表示装置において、前記２次元平面が１画面に入るように前記時刻情報および前記視点の尺度を調整する。
【００２３】
これにより、１画面からコンテンツ内容記述の内容を把握できるので、短時間にコンテンツ内容記述の内容を把握できる。
【００２４】
本発明の第４の態様は、第１の態様にかかるコンテンツ内容表示装置において、前記２次元平面は、前記視点を半径方向、前記時刻情報を円周方向に配置した円である。
【００２５】
これにより、メディアコンテンツの総時間に関わらず、１つのメディアコンテンツで表示される円の大きさが固定になる。よって、ユーザが、文脈内容記述の時間的な割合を容易に把握できる。
【００２６】
本発明の第５の態様は、第１の態様から第４の態様のいずれかにかかるコンテンツ内容表示装置において、前記視点には重要度が付与されていて、前記視点を前記重要度の高い順に並べる。
【００２７】
これにより、視点の重要度を加味して、コンテンツ内容記述を把握できる。
【００２８】
本発明の第６の態様は、第１の態様から第４の態様のいずれかにかかるコンテンツ内容表示装置において、前記視点をユーザ操作により並べる。
【００２９】
これにより、視点をユーザが重要視する順や興味のある順に並べることができ、ユーザが重視する内容に基づいてコンテンツ内容記述を把握しやすくなる。
【００３０】
本発明の第７の態様は、第１の態様から第６の態様のいずれかにかかるコンテンツ内容表示装置において、前記２次元平面の一部が選択された場合に、前記一部に対応するメディアコンテンツを表示する。
【００３１】
これにより、２次元平面を解釈し、所望の内容に対応した位置からメディアコンテンツを再生することが可能となる。
【００３２】
本発明の第８の態様は、第１の態様から第７の態様のいずれかにかかるコンテンツ内容表示装置において、前記文脈内容記述を配置した前記２次元平面を前記２次元平面に対応するメディアコンテンツと共に表示する。
【００３３】
これにより、再生しているメディアコンテンツの現在の内容をテキストによっても把握できる。
【００３４】
本発明の第９の態様は、第１の態様から第７の態様のいずれかにかかるコンテンツ内容表示装置において、前記文脈内容記述を配置した前記２次元平面を前記２次元平面に対応しないメディアコンテンツと共に表示する。
【００３５】
これにより、メディアコンテンツを再生している際に、他のメディアコンテンツの内容をテキストで認識することができる。
【００３６】
本発明の第１０の態様は、サーバよりメディアコンテンツとメディアコンテンツ内容記述データを入力するステップと、前記メディアコンテンツを時刻情報により分割したセグメントに対して異なる複数の視点に基づく文脈内容記述を付与したコンテンツ内容記述データから前記視点、前記時刻情報、および前記文脈内容記述を抽出するステップと、前記視点および前記時刻情報をパラメータとした２次元平面を作成するステップと、前記文脈内容記述を前記２次元平面上の前記文脈内容記述に対応する前記セグメントの前記時刻情報および前記文脈内容記述の基になった前記視点が交差する位置に配置するステップと、前記文脈内容記述を配置した前記２次元平面表示するステップと、を具備したことを特徴とするコンテンツ内容表示方法である。
【００３７】
本発明の第１１の態様は、コンピュータに、サーバよりメディアコンテンツとメディアコンテンツ内容記述データを入力するステップと、前記メディアコンテンツを時刻情報により分割したセグメントに対して異なる複数の視点に基づく文脈内容記述を付与したコンテンツ内容記述データから前記視点、前記時刻情報、および前記文脈内容記述を抽出するステップと、前記視点および前記時刻情報をパラメータとした２次元平面を作成するステップと、前記文脈内容記述を前記２次元平面上の前記文脈内容記述に対応する前記セグメントの前記時刻情報および前記文脈内容記述の基になった前記視点が交差する位置に配置するステップと、前記文脈内容記述を配置した前記２次元平面表示するステップと、を行わせることを特徴としたプログラムである。
【００３８】
以下、本発明の一実施の形態にかかるコンテンツ内容表示装置について添付図面を用いて説明する。まず、本実施の形態にかかるコンテンツ内容表示装置の構成について図１を用いて説明する。図１は、本実施の形態にかかるコンテンツ内容表示装置の構成図である。
【００３９】
本実施の形態にかかるコンテンツ内容表示装置１００には、メディアコンテンツを格納したコンテンツサーバ１０１からメディアコンテンツを、メディアコンテンツの内容記述であるコンテンツ内容記述を格納したコンテンツ内容記述サーバ１０２からコンテンツ内容記述を入力する入力部１０３が設けられている。入力部１０３は、入力したコンテンツ内容記述を解析部１０４に、入力したメディアコンテンツを配置部１０５に入力する。
【００４０】
なお、メディアコンテンツは、動画と音声を組み合わせたマルチメディアコンテンツであってもよいし、動画もしくは音声だけからなるメディアコンテンツであってもよい。
【００４１】
解析部１０４は、コンテンツ内容記述データからメディアコンテンツの総時間、セグメント、視点（観点）等を解析し、それらを配置部１０５に出力する。
【００４２】
配置部１０５は、メディアコンテンツの総時間、視点をパラメータとする２次元の平面を作成し、作成した２次元平面に、対応するセグメントの文脈内容記述を配置する処理を行う。また、配置部１０５は、操作部１０６からの指示により、セグメントを配置する方法を変える。また、配置部１０５は、セグメントを配置した２次元平面を表示部１０７に出力する。
【００４３】
操作部１０６は、キーボードやマウスなどの一般的な操作手段である。また、表示部１０７は、モニターなどの一般的な表示手段である。
【００４４】
次に、コンテンツ内容記述サーバ１０２に格納されているコンテンツ内容記述について図２を用いて説明する。
【００４５】
図２に示すコンテンツ内容記述２００は、視点（観点）が意味的な階層構造を成していない場合のコンテンツ内容記述の例である。
【００４６】
コンテンツ内容記述２００には、メディアコンテンツのタイトルであるタイトル２０７と、メディアコンテンツの総時間２０１が記述されている。
【００４７】
また、コンテンツ内容記述２００には、メディアコンテンツを分割する際の視点がｃｒｉｔｅｒｉａ属性値２０２ａ〜２０２ｄで記述している。
【００４８】
また、視点２０２ａ〜２０２ｄには、メディアコンテンツをそれぞれの視点で分割した複数のセグメント（Ｓｅｇｍｅｎｔ要素）２０３ａ〜２０３ｄが記述されている。
【００４９】
また、セグメント（Ｓｅｇｍｅｎｔ要素）２０３ａ〜２０３ｄには、それぞれ、開始時刻（ｓｔａｒｔ属性値）２０４ａ〜２０４ｄと、終了時刻（ｅｎｄ属性値）２０５ａ〜２０５ｄと、視点（ｃｒｉｔｅｒｉａ属性値）２０２ａ〜２０２ｄに対する詳細な内容を示す文脈内容記述としてキーワードをｃａｐｔｉｏｎ属性値２０６ａ〜２０６ｄとして記述している。なお、終了時間は、継続時間（duration）であっても良い。
【００５０】
このように、コンテンツ内容記述２００は、視点に複数のセグメントを記述する構造を用いて、メディアコンテンツの内容を記述している。視点が階層構造を有していない記述例である。
【００５１】
次に、コンテンツ内容記述のその他の例について図３を用いて説明する。図３に示すコンテンツ内容記述３００は、視点が階層構造を成している場合のコンテンツ内容記述の例である。
【００５２】
コンテンツ内容記述３００には、メディアコンテンツのタイトルであるタイトル２０７と、メディアコンテンツの総時間２０１が記述されている。
【００５３】
また、コンテンツ内容記述３００には、メディアコンテンツを分割する最上位の視点をｃｒｉｔｅｒｉａ属性値３０１ａ、３０１ｂで記述している。最上位の視点３０１ａには、視点３０１ａに対する詳細な文脈内容記述としてｃａｐｔｉｏｎ属性値３０２で記述している。
【００５４】
また、最上位の視点３０１ａには、メディアコンテンツをさらに分割する複数の中位の視点をｃｒｉｔｅｒｉａ属性値３０４ａ、３０４ｂで記述している。
【００５５】
中位の視点３０４ａ、３０４ｂには、文脈内容記述３０５ａ、３０５ｂが記述されている。
【００５６】
また、中位の視点３０４ａには下位の視点３０６ａ〜３０６ｃが、中位の視点３０４ｂには下位の視点３０６ｄ〜３０６ｇが記述されている。
【００５７】
下位の視点３０６ａには、文脈内容記述３０７ａが記述され、子要素Ｓｅｇｍｅｎｔ要素で時間区分として、ｓｔａｒｔ属性値で開始時刻３０９ａと、ｅｎｄ属性値で終了時刻３１０ａを記述している。なお、終了時間は、継続時間（duration）であっても良い。
【００５８】
なお、下位の視点３０６ｂ〜３０６ｇにも、文脈内容記述が記述され、時間区分として開始時刻と、終了時刻が記述されているが、説明の簡易化のため、符号は図示していない。また、最上位の視点３０１ｂの詳細な内容については、省略する。
【００５９】
このように、コンテンツ内容記述３００は、視点が階層構造を成しているので、視点の対応関係が複雑になっていて、内容把握が困難となっている。
【００６０】
次に、文脈内容記述に静止画のリンク情報が記述されている場合のコンテンツ内容記述について図４を用いて説明する。
【００６１】
図４に示すコンテンツ内容記述４００と図２に示すコンテンツ内容記述２００との違いは、視点２０２ｃの下位の部分である。
【００６２】
コンテンツ内容記述４００のＳｅｇｍｅｎｔ要素４０１には、テキストでなくネットワーク上のマルチメディアコンテンツへのリンク先であるＵＲＬで記述された文脈内容記述４０２が記述されている。
【００６３】
ＵＲＬには、例えば、セグメント４０１の特徴的な内容を示す静止画などがリンクされている。
【００６４】
このように、コンテンツ内容記述４００は、テキストだけでなくリンク情報が記述されているので、ユーザがメディアコンテンツの内容を把握するためには、リンク先を参照する必要がある。このため、ユーザがコンテンツ内容記述４００からメディアコンテンツの内容を把握することが非常に困難になっている。
【００６５】
そこで、本発明のコンテンツ内容表示装置１００は、視点情報と時刻情報とをパラメータとする領域に、文脈内容記述を配置することにより、視点情報、時刻情報、および文脈内容記述の対応関係を視覚的に把握できるようにしている。
【００６６】
以下、本発明のコンテンツ内容表示装置１００が、コンテンツ内容記述に記述された視点情報、時刻情報、および文脈内容記述を解析し、視点情報、時刻情報、および文脈内容記述を対応付けて表示する処理について、図２、図５、図６を用いて説明する。図５は、コンテンツ内容表示装置１００が、視点が階層構造を成していない場合のコンテンツ内容記述２００を解析し、解析結果を表示するフローチャートである。また、図６は、コンテンツ内容記述２００に対応する２次元平面を示す図である。
【００６７】
まず、コンテンツ内容表示装置１００は、入力部１０３において、コンテンツ内容記述サーバ１０２に格納されたコンテンツ内容記述２００を入力する。次に、入力部１０３は、入力したコンテンツ内容記述２００を解析部１０４に送る。
【００６８】
次に、解析部１０４は、コンテンツ内容記述２００からメディアコンテンツの総時間２０１を読み取る（ＳＴ５０１）。
【００６９】
次に、解析部１０４は、コンテンツ内容記述２００に記述された全ての視点（ｃｒｉｔｅｒｉａ属性値）２０２ａ〜２０２ｄをリスト化する（ＳＴ５０２）。
【００７０】
次に、解析部１０４は、ＳＴ５０２においてリスト化した視点２０２ａ〜２０２ｄを配置部１０５に出力する。
【００７１】
そして、配置部１０５が、視点２０２ａ〜２０２ｄを、図６の６０１に記されるように縦軸に並べ、時間軸６０２を横軸にとった矩形の２次元平面６００を生成する（ＳＴ５０３）。
【００７２】
また、この際、配置部１０５は、メディアコンテンツの総時間２０１および総視点数を加味し、全てのセグメントが１画面に入るように、縦軸６０１および時間軸６０２の尺度を調整する。
【００７３】
このように、１画面に２次元平面６００を表示することにより、ユーザが１画面からコンテンツ内容記述の内容を把握できるので、短時間にコンテンツ内容記述の内容を把握できる。
【００７４】
また、配置部１０５は、コンテンツ内容記述２００の視点に重要度が付与されている場合は、重要度の高い視点から順に縦軸６０１に並べるようにする。これにより、ユーザが視点の重要度を加味して、コンテンツ内容記述を把握できる。
【００７５】
また、縦軸６０１に並べる視点の順序をユーザに任意に選択させる形態であっても良い。
【００７６】
これにより、視点をユーザが重要視する順や興味のある順に並べることができ、ユーザが重視する内容に基づいてコンテンツ内容記述を把握しやすくなる。
【００７７】
なお、図６の例では、時間軸６０３に３０秒毎に区切りをつけてあるが、区切りの単位はこれに限らなくてもよいし、区切りが無くても良い。
【００７８】
次に、解析部１０４は、コンテンツ内容記述２００の最初に記述されているＳｅｃｔｉｏｎ要素を取り出す（ＳＴ５０４）。この例では、解析部１０４は、２０２ａで記されるＳｅｃｔｉｏｎ要素を取り出す。
【００７９】
次に、解析部１０４は、ＳＴ５０４において取り出したＳｅｃｔｉｏｎ要素２０２ａ内の最初のＳｅｇｍｅｎｔ要素を取り出す（ＳＴ５０５）。この例では、解析部１０４は、Ｓｅｇｍｅｎｔ要素２１４を取り出す。
【００８０】
次に、解析部１０４は、ＳＴ５０５において、取り出したＳｅｇｍｅｎｔ要素２１４の開示時間（ｓｔａｒｔ属性値）２１２および終了時刻（ｅｎｄ属性値）２１３と、Ｓｅｇｍｅｎｔ要素２１４を形成する基になった視点２０２ａと、Ｓｅｇｍｅｎｔ要素２１４の文脈内容記述（ｃａｐｔｉｏｎ属性値）２１０を抽出し、配置部１０５に送る。
【００８１】
そして、配置部１０５は、図６の６０３に示す領域に、文脈内容記述２１０を配置する（ＳＴ５０６）。
【００８２】
次に、解析部１０４は、ＳＴ５０４において取り出したＳｅｃｔｉｏｎ要素２０２ａ内のＳｅｇｍｅｎｔ要素を取り出す（ＳＴ５０７）。この例では、解析部１０４は、Ｓｅｇｍｅｎｔ要素２１１を取り出す。
【００８３】
そして、ＳＴ５０７において、次のセグメントがある場合は、解析部１０４は、ＳＴ５０６の処理に戻り、次のＳｅｇｍｅｎｔ要素２０７を表示する処理に移行する（ＳＴ５０８）。そして、図６中の６０４に示すような列を記述する。
【００８４】
一方、ＳＴ５０７において、処理するセグメントが無い場合は（ＳＴ５０８）、解析部１０４は、コンテンツ内容記述２００のＳｅｃｔｉｏｎ要素２０２ａの次に記述されているＳｅｃｔｉｏｎ要素２０２ｂを取り出す（ＳＴ５０９）。
【００８５】
そして、ＳＴ５０９において、次のＳｅｃｔｉｏｎ要素がある場合は、解析部１０４は、ＳＴ５０５の処理に移行し、次のＳｅｃｔｉｏｎ要素内のＳｅｇｍｅｎｔ要素の処理に移行する（ＳＴ５１０）。
【００８６】
一方、次のＳｅｃｔｉｏｎ要素がない場合は（ＳＴ５１０）、解析部１０４は、処理を終了する。
【００８７】
この例では、解析部１０４が、まず、ＳＴ５０９において、２０２ｂで記されるＳｅｃｔｉｏｎ要素を取り出し、配置部１０５がＳｅｃｔｉｏｎ要素２０２ｂ内のＳｅｇｍｅｎｔ要素の情報を２次元平面６００に列６０５として表示する。次に、解析部１０４が２０２ｃで記されるＳｅｃｔｉｏｎ要素を取り出し、配置部１０５がＳｅｃｔｉｏｎ要素２０２ｃ内のＳｅｇｍｅｎｔ要素の情報を２次元平面６００に列６０６として表示する。そして、解析部１０４が、２０２ｄで記されるＳｅｃｔｉｏｎ要素を取り出し、配置部１０５がＳｅｃｔｉｏｎ要素２０２ｃ内のＳｅｇｍｅｎｔ要素の情報を２次元平面６００に列６０７として表示部１０７に表示し、処理を終了する。
【００８８】
このように、コンテンツ内容記述２００に含まれる文脈内容記述を、視点および時間で示される２次元平面上に配置し、表示することにより、容易にコンテンツ内容記述の内容を把握できる。
【００８９】
なお、図６の二次元平面６００に、あらかじめ決めていた数以上の文脈内容記述を表示しないようにしても良い。また、ユーザが選択した視点のみで２次元平面６００を作成してもよい。
【００９０】
また、２次元平面６００に、視点を並べる順番に関しても同様に、出現順では無くてもよい。また、２次元平面６００に、Ｓｅｃｔｉｏｎ要素またはＳｅｇｍｅｎｔ要素の継続時間の平均が長い（または短い）順、ユーザの入力したキーワードが含まれている数が多い（または少ない）順、Ｓｅｃｔｉｏｎ要素またはＳｅｇｍｅｎｔ要素にあらかじめ付与された重要度の大きい（または小さい）順に並べてもよい。また、２次元平面の視点と時間の縦横を逆転してもよい。
【００９１】
次に、コンテンツ内容表示装置１００が、図３に示すコンテンツ内容記述３００に記述された視点情報、時刻情報、および文脈内容記述を解析し、視点情報、時刻情報、および文脈内容記述を対応付けて表示する処理について、図３、図７、図８を用いて説明する。図７は、コンテンツ内容表示装置１００が、視点が階層構造を成している場合のコンテンツ内容記述３００を解析し、解析結果を表示するフローチャートである。また、図８は、コンテンツ内容記述３００に対応する２次元平面を示す図である。
【００９２】
まず、コンテンツ内容表示装置１００は、入力部１０３において、コンテンツ内容記述サーバ１０２に格納されたコンテンツ内容記述３００を入力する。次に、入力部１０３は、入力したコンテンツ内容記述２００を解析部１０４に送る。
【００９３】
次に、解析部１０４は、コンテンツ内容記述３００からメディアコンテンツの総時間２０１を読み取る（ＳＴ７０１）。
【００９４】
次に、解析部１０４は、コンテンツ内容記述３００に記述された全ての視点（ｃｒｉｔｅｒｉａ属性値）３０１ａ、３０１ｂ、３０４ａ、３０４ｂ、３０６ａ〜３０６ｇをリスト化する（ＳＴ７０２）。
【００９５】
次に、解析部１０４は、ＳＴ７０２においてリスト化した視点３０１ａ、３０１ｂ、３０４ａ、３０４ｂ、３０６ａ〜３０６ｇを配置部１０５に出力する。そして、配置部１０５が、視点３０１ａ、３０１ｂ、３０４ａ、３０４ｂ、３０６ａ〜３０６ｇを、図８の８０１に記されるように縦軸に並べ、時間軸８０２を横軸にとった２次元平面８００を生成する（ＳＴ７０３）。
【００９６】
次に、解析部１０４は、子要素にＳｅｃｔｉｏｎ要素を持たない全てのＳｅｃｔｉｏｎ要素（つまり最下位のＳｅｃｔｉｏｎ要素）と、これらのＳｅｃｔｉｏｎ要素の視点（ｃｒｉｔｅｒｉａ属性値）と、これらのＳｅｃｔｉｏｎ要素の子要素であるＳｅｇｍｅｎｔ要素の属性から開始時刻および終了時刻と、これらのＳｅｃｔｉｏｎ要素の文脈内容記述（ｃａｐｔｉｏｎ属性値）を抽出する。
【００９７】
この例では、解析部１０４は、Ｓｅｃｔｉｏｎ要素３０６ａ〜３０６ｇと、Ｓｅｃｔｉｏｎ要素３０６ａ〜３０６ｇの視点（ｃｒｉｔｅｒｉａ属性値）と、Ｓｅｃｔｉｏｎ要素３０６ａ〜３０６ｇの子要素であるＳｅｇｍｅｎｔ要素のｓｔａｒｔ属性とｅｎｄ属性から開始時刻および終了時刻と、Ｓｅｃｔｉｏｎ要素３０６ａ〜３０６ｇの文脈内容記述をｃａｐｔｉｏｎ属性から取り出す。例えば、Ｓｅｃｔｉｏｎ要素３０６ａの場合は、視点３１１と、開始時刻３０９ａおよび終了時刻３１０ａと、文脈内容記述３０７ａを取り出す。
【００９８】
次に、解析部１０４は、取り出した情報を、配置部１０５に送る。
【００９９】
そして、配置部１０５は、図８の８０４に示すように、２次元平面８００の３０６ａ〜３０６ｇの視点と、Ｓｅｃｔｉｏｎ要素３０６ａ〜３０６ｇの開始時刻および終了時刻が交差する領域に、Ｓｅｃｔｉｏｎ要素３０６ａ〜３０６ｇの文脈内容記述を配置する（ＳＴ７０４）。
【０１００】
次に、解析部１０４は、ＳＴ７０４で配置したＳｅｃｔｉｏｎ要素３０６ａ〜３０６ｇの全ての親要素を取り出す（ＳＴ７０５）。
【０１０１】
この例では、解析部１０４は、Ｓｅｃｔｉｏｎ要素３０１ａ、３０１ｂ、３０４ａ、３０４ｂを取り出す。
【０１０２】
次に、解析部１０４は、ＳＴ７０５において取り出した、Ｓｅｃｔｉｏｎ要素３０１ａ、３０１ｂ、３０４ａ、３０４ｂの視点（ｃｒｉｔｅｒｉａ属性値）と、Ｓｅｃｔｉｏｎ要素３０１ａ、３０１ｂ、３０４ａ、３０４ｂの開始時刻および終了時刻と、Ｓｅｃｔｉｏｎ要素３０１ａ、３０１ｂ、３０４ａ、３０４ｂの文脈内容記述（ｃａｐｔｉｏｎ属性値）を抽出し、配置部１０５に送る。
【０１０３】
そして、配置部１０５は、図８の８０５、８０６に示すように、２次元平面８００のＳｅｃｔｉｏｎ要素３０１ａ、３０１ｂ、３０４ａ、３０４ｂの視点と、Ｓｅｃｔｉｏｎ要素３０１ａ、３０１ｂ、３０４ａ、３０４ｂの開始時刻および終了時刻が交差する領域に、Ｓｅｃｔｉｏｎ要素３０１ａ、３０１ｂ、３０４ａ、３０４ｂの文脈内容記述を配置する（ＳＴ７０６）。
【０１０４】
そして、解析部１０４は、ＳＴ７０６で処理したＳｅｃｔｉｏｎ要素の親要素がＳｅｃｔｉｏｎ要素でないか、つまり、コンテンツ内容記述３００に含まれる全てのＳｅｃｔｉｏｎ要素に対して上述した処理を行ったか判断する（ＳＴ７０７）。
【０１０５】
そして、コンテンツ内容記述３００に含まれる全てのＳｅｃｔｉｏｎ要素に対して上述した処理を行った場合は、コンテンツ内容表示装置１００は、処理を終了する。
【０１０６】
一方、コンテンツ内容記述３００に含まれる全てのＳｅｃｔｉｏｎ要素に対して上述した処理を行っていない場合は、コンテンツ内容表示装置１００は、ＳＴ７０５の処理に戻り、残りのＳｅｃｔｉｏｎ要素に対して処理を行う。
【０１０７】
このように、コンテンツ内容表示装置１００は、コンテンツ内容記述３００を解析して、解析内容を図８の二次元平面８００のように表示する。これにより、ユーザは、視点が階層構造を成している場合のコンテンツ内容記述３００の内容も容易に把握できる。
【０１０８】
次に、コンテンツ内容表示装置１００が、図４に示すコンテンツ内容記述４００に記述された視点情報、時刻情報、および文脈内容記述を解析し、視点情報、時刻情報、および文脈内容記述を対応付けて表示する処理について、図４、図９を用いて説明する。図９は、コンテンツ内容記述４００に対応する２次元平面を示す図である。
【０１０９】
コンテンツ内容表示装置１００が、コンテンツ内容記述４００を表示部１０７に表示する処理の流れは、基本的には図５に示した処理手順と同じである。
【０１１０】
違いは、ＳＴ５０６において、解析部１０４が、ＵＲＬ４０２を参照し、画像情報を抽出し配置部１０５に送り、配置部１０５が、画像情報を、図９に示す２次元平面９００の９０１の列に配置することである。
【０１１１】
このように、コンテンツ内容表示装置１００は、コンテンツ内容記述４００を解析して、解析内容を図９の２次元平面９００のように表示する。これにより、ユーザは、メディアコンテンツの内容把握に画像情報を用いることができる。この結果、容易に、かつ確実にメディアコンテンツの内容を把握できる。
【０１１２】
以上説明したように、本実施の形態によれば、視点情報と時刻情報とをパラメータとする２次元平面６００、８００、９００に、文脈内容記述を配置することにより、視点情報、時刻情報、および文脈内容記述の対応関係を視覚的に把握できる。これにより、コンテンツ内容記述を容易に把握できるので、コンテンツ内容記述を用いてメディアコンテンツの内容を短時間で容易に把握することができる。
【０１１３】
また、視点情報と時刻情報とをパラメータとする２次元平面６００、８００に、文脈内容記述を配置することにより、メディアコンテンツのある時点において、複数の視点で記述された文脈内容記述を同時に把握することができる。これにより、複雑な構成のコンテンツ内容記述も容易に把握できる。
【０１１４】
また、上記実施の形態では、視点を縦軸に並べ、時間軸を横軸にとった矩形（２次元平面）に文脈内容記述を配置することにより、表を見るような感覚で、コンテンツ内容記述の内容を把握できる。また、矩形にすることにより、モニターなどの矩形の画面に大きく表示することができる。
【０１１５】
なお、上記実施の形態では、視点を縦軸に並べ、時間軸を横軸にとった矩形を用いて説明したが、図１０に示すように、半径方向に視点３０１を並べ、円周方向に時間軸３０２を並べた円グラフ１０００に、文脈内容記述を配置する形態であってもよい。また、この場合、時間軸３０２は、１２時をメディアコンテンツの開始時刻とし、１２時をメディアコンテンツの終点時刻とする。なお、図１０に示す円グラフ１０００は、図６に示す２次元平面６００に対応した内容になっている。
【０１１６】
これによれば、メディアコンテンツの総時間に関わらず、１つのメディアコンテンツで表示される円グラフ１０００の大きさが固定になる。よって、ユーザが、文脈内容記述の時間的な割合を容易に把握できる。
【０１１７】
また、ユーザが、２次元平面６００、８００、９００の一部を操作部１０６により選択した場合に、選択した時刻に対応するメディアコンテンツを表示するようにしても良い。
【０１１８】
例えば、図１１に示すように、ユーザが、２次元平面９００の時刻１１０１（０：２０）に対応する部分を操作部１０６により、選択した場合に、配置部１０５が選択された時刻１１０１を認識し、時刻１１０１に対応するメディアコンテンツ１１０２をコンテンツサーバ１０１から抽出し、表示部１０７に表示するようにしても良い。
【０１１９】
これにより、ユーザが、コンテンツ内容記述の内容を記した２次元平面６００、８００、９００を解釈し、所望の内容に対応した位置からメディアコンテンツを再生することが可能となる。
【０１２０】
また、メディアコンテンツ１１０２を表示した際に、図１２に示すように、表示部１０７の一部に、表示しているメディアコンテンツ１１０２に対応するコンテンツ内容記述を解析した２次元平面１２０１を表示するようにしても良い。この２次元平面１２０１は、メディアコンテンツ１１０１の時刻１２０４と、時刻１２０４における視点１２０２と、視点１２０２に対応する文脈内容記述１２０３を対応付けた表になっている。
【０１２１】
これにより、ユーザは、再生しているメディアコンテンツの現在の内容をテキストによっても把握できる。
【０１２２】
また、メディアコンテンツ１１０２を表示した際に、図１３に示すように、メディアコンテンツ１１０１の時刻における視点に対応する文脈内容記述のみを表示するようにしても良い。
【０１２３】
また、ユーザが２次元平面９００の一部を選択した場合だけでなく、メディアコンテンツを再生中に、操作部１０６から所定の操作をした場合にも、図１２または図１３に示すように、解析部１０４が再生しているメディアコンテンツに対応するコンテンツ内容記述を解析し、配置部１０５が解析した視点、文脈記述を表示部１０７に表示するようにしても良い。
【０１２４】
また、メディアコンテンツを再生中に、解析部１０４が他のメディアコンテンツ、例えば裏番組に対応するコンテンツ内容記述を解析し、配置部１０５が解析した視点、文脈記述を表示部１０７に表示するようにしても良い。
【０１２５】
これにより、ユーザは、あるメディアコンテンツを再生している際に、他のメディアコンテンツの内容をテキストで認識することができる。
【０１２６】
また、ユーザ操作により、表示する裏番組のメディアコンテンツに関する文脈情報を選択できるようにしても良い。例えば、裏番組のメディアコンテンツが野球である場合は、スコアだけを表示するようにしても良い。また、ニュース速報などのように必ず表示される文脈記述を設定しても良い。
【０１２７】
また、ユーザがメディアコンテンツを録画している際には、コンテンツ内容記述の視点、文脈記述を表示しないようにしても良い。また、録画したメディアコンテンツを再生している際には、視点や文脈情報を表示しないようにしても良い。
【０１２８】
これにより、あるメディアコンテンツを録画している際に、他の情報も一緒に記録してしまうことを防げる。
【０１２９】
また、図１４に示すように、あるメディアコンテンツ１４０２を表示部１０７において表示している際に、解析部１０４がメディアコンテンツ１４０２に対応するコンテンツ内容記述を解析し、配置部１０５が解析した視点および時刻情報をパラメータにし、対応する領域に文脈情報を配置した２次元平面１４０１を無線などにより携帯電話などの携帯端末に送信し、表示するようにしても良い。
【０１３０】
また、図１５に示すように、番組表１５０１の中のある番組（図の例では「野球」）の部分に、その番組（メディアコンテンツ）に対応するコンテンツ内容記述を解析した２次元平面１５０２を埋め込むようにしても良い。
【０１３１】
これにより、ユーザが、番組表１５０１のある番組の部分を選択し拡大していくことにより、その番組内容の詳細を知ることができる。
【０１３２】
なお、本実施の形態にかかるコンテンツ内容表示装置１００の行う処理をプログラムにし、汎用のコンピュータに実行させる形態であっても良い。
【０１３３】
また、本実施の形態では、コンテンツ内容記述にＸＭＬ記述を用いたが、これ以外の記述方法を用いても良い。
【産業上の利用可能性】
【０１３４】
本発明によれば、メディアコンテンツの内容をコンテンツ内容記述により容易に把握でき、メディアコンテンツ配信装置やメディアコンテンツ検索装置など幅広い分野に適用できる。
【図面の簡単な説明】
【０１３５】
【図１】本実施の形態にかかるコンテンツ内容表示装置の構成図
【図２】コンテンツ内容記述を示した図
【図３】コンテンツ内容記述の他の例を示した図
【図４】コンテンツ内容記述のその他の例を示した図
【図５】本実施の形態にかかるコンテンツ内容表示装置が、視点が階層構造を成していない場合のコンテンツ内容記述を解析し、解析結果を表示するフローチャート
【図６】本実施の形態にかかるコンテンツ内容記述に対応する２次元平面を示す図
【図７】本実施の形態にかかるコンテンツ内容表示装置が、視点が階層構造を成している場合のコンテンツ内容記述を解析し、解析結果を表示するフローチャート
【図８】本実施の形態にかかる他のコンテンツ内容記述に対応する２次元平面を示す図
【図９】本実施の形態にかかるその他のコンテンツ内容記述に対応する２次元平面を示す図
【図１０】本実施の形態にかかるコンテンツ内容記述に対応するその他の２次元平面を示す図
【図１１】本実施の形態にかかる２次元平面に対応するメディアコンテンツを表示する処理を説明するための図
【図１２】本実施の形態にかかるメディアコンテンツを表示する方法を説明するための第１の図
【図１３】本実施の形態にかかるメディアコンテンツを表示する方法を説明するための第２の図
【図１４】本実施の形態にかかる２次元平面を表示する方法を説明するための図
【図１５】本実施の形態にかかる番組情報を説明するための図
【図１６】コンテンツ内容記述を説明するための図
【符号の説明】
【０１３６】
１００  コンテンツ内容表示装置
１０１  コンテンツサーバ
１０２  コンテンツ内容記述サーバ
１０３  入力部
１０４  解析部
１０５  配置部
１０６  操作部
１０７  表示部
６００、８００、９００、１０００、１２０１、１４０１、１５０２  ２次元平面
【図１】
2005267113.tif 000003
【図２】
2005267113.tif 000004
【図３】
2005267113.tif 000005
【図４】
2005267113.tif 000006
【図５】
2005267113.tif 000007
【図６】
2005267113.tif 000008
【図７】
2005267113.tif 000009
【図８】
2005267113.tif 000010
【図９】
2005267113.tif 000011
【図１０】
2005267113.tif 000012
【図１１】
2005267113.tif 000013
【図１２】
2005267113.tif 000014
【図１３】
2005267113.tif 000015
【図１４】
2005267113.tif 000016
【図１５】
2005267113.tif 000017
【図１６】
2005267113.tif 000018